(57)【要約】【課題】  釈放部材と釈放ブロックにおける噛合部の噛合状態を制御することにより釈放ブロックを釈放する釈放装置を提供する。【解決手段】  一端に取付部が設けられ、他端に釈放部材が設けられる起動ロッドと、内側に枢設孔と噛合部が設けられる釈放部材と、断面が略コ字形の中空体であり、その一側に釈放部材の噛合部を収容するため取付孔が形成される固定座と、上部が前記固定座に挿入され、その一側に釈放部材の噛合部と対応する噛合部が設けられる釈放ブロックと、を備えることを特徴とする。【選択図】        図２
2006077824.tif 000002
【特許請求の範囲】
【請求項１】
一端に取付部が設けられ、他端に釈放部材が設けられる起動ロッドと、
内側に枢設孔と噛合部が設けられる釈放部材と、
断面が略コ字形の中空体であり、その一側に釈放部材の噛合部を収容するため取付孔が形成される固定座と、
上部が前記固定座に挿入され、その一側に釈放部材の噛合部と対応する噛合部が設けられる釈放ブロックと、を備えることを特徴とする釈放装置。
【請求項２】
前記起動ロッドの中段に弾性部材が設けられることを特徴とする請求項１に記載の釈放装置。
【請求項３】
前記釈放ブロックの上部に所定の形状を有する取付ブロックが設けられることを特徴とする請求項１又は２に記載の釈放装置。
【請求項４】
前記釈放ブロックの下部に連結孔が形成されることを特徴とする請求項３に記載の釈放装置。
【発明の詳細な説明】
【技術分野】
【０００１】
本発明は、特に釈放部材と釈放ブロックにおける噛合部の噛合状態を制御することにより釈放ブロックを釈放する、釈放装置に関するものである。
【背景技術】
【０００２】
一般に、釈放装置は二つの物体の結合又は分離状態を制御するものであり、例えば、人間が通常、立ち入られない水深の深い場所で物体を分離する場合や、クレーン車が特定の場所で物体を吊り上げたり、釈放したりする場合によく使用されている。尚、このような釈放装置は一般によく使用されるものであるため、特に特許文献又は非特許文献には記載されていない。
【発明の開示】
【発明が解決しようとする課題】
【０００３】
しかしながら、上記従来の釈放装置は使用場所によって構造が異なり、且つ大部分の釈放装置は構造が複雑であり、操作の利便性が悪いと言った欠点を有する。
【０００４】
そこで、出願されたのが本発明であって、釈放部材と釈放ブロックにおける噛合部の噛合状態を制御することにより釈放ブロックを釈放する釈放装置を提供することを目的としている。
【課題を解決するための手段】
【０００５】
本願の請求項１の発明は、一端に取付部が設けられ、他端に釈放部材が設けられる起動ロッドと、
内側に枢設孔と噛合部が設けられる釈放部材と、
断面が略コ字形の中空体であり、その一側に釈放部材の噛合部を収容するため取付孔が形成される固定座と、
上部が前記固定座に挿入され、その一側に釈放部材の噛合部と対応する噛合部が設けられる釈放ブロックと、を備えることを特徴とする釈放装置及び、
本願の請求項２の発明は、前記起動ロッドの中段に弾性部材が設けられることを特徴とする請求項１に記載の釈放装置及び、
本願の請求項３の発明は、前記釈放ブロックの上部に所定の形状を有する取付ブロックが設けられることを特徴とする請求項１又は２に記載の釈放装置及び、
本願の請求項４の発明は、前記釈放ブロックの下部に連結孔が形成されることを特徴とする請求項３に記載の釈放装置、を提供する。
【発明の効果】
【０００６】
本発明は上記の課題を解決するものであり、釈放ブロックと噛合部材の噛合部の噛合状態を制御することにより、釈放ブロックに設けられる物体を簡単に釈放することができ、又、本発明は、部材数が少なく、構造が簡単であるという特徴を有するので、釈放装置の製造コストを低減させることができる。
【発明を実施するための最良の形態】
【０００７】
以下、添付図面を参照して本発明の好適な実施の形態を詳細に説明する。
【０００８】
図１は本発明に係る釈放装置の斜視図であり、図２は本発明に係る釈放装置の分解斜視図であり、図３は本発明に係る釈放装置における釈放ブロックと噛合部材の噛合部の噛合状態を示す一部断面図であり、図４は本発明に係る釈放装置における釈放ブロックと噛合部材の噛合部の分離状態を示す一部断面図であり、図５は本発明に係る釈放装置の使用状態を示す斜視図であり、図６は本発明に係る釈放装置の使用状態を示す一部分解斜視図であり、図７は本発明に係る釈放装置の使用状態を示す一部斜視図であり、図８は本発明に係る釈放装置の使用状態を示す一部側面図であり、図９は本発明に係る釈放装置を起動した状態を示す一部側面図であり、図１０は本発明に係る釈放装置を起動した状態を示す側面図である。
【０００９】
図１乃至図３に示すように、本発明に係る釈放装置は起動ロッド（１０）と、釈放部材（２０）と、固定座（３０）と、釈放ブロック（４０）とを備える。前記起動ロッド（１０）の一端に他の物体と連結するための取付部（１１）が設けられ、中段に付勢手段が設けられ、他端に釈放部材（２０）が設けられる。
【００１０】
前記釈放部材（２０）の内側に他の物体を枢設するための枢設孔（２２）と噛合部（２１）が設けられ、前記固定座（３０）は断面が略コ字形の中空体であり、その一側に釈放部材（２０）の噛合部（２１）を収容するため取付孔（３１）が形成される。
【００１１】
前記釈放ブロック（４０）の上部が前記固定座（３０）に挿入され、その一側に釈放部材（２０）の噛合部（２１）と対応する噛合部（４１）が設けられると共に、他側に所定の形状を有する取付ブロック（４２）が設けられ、下部に他の物体を設置するための連結孔（４３）が形成される。
【００１２】
図３に示すように、本発明に係る釈放装置を組み合せた後、付勢手段によって延伸された起動ロッド（１０）が釈放部材（２０）を起動しない場合、固定座（３０）の内部における釈放ブロック（４０）の噛合部（４１）が取付孔（３１）を介して釈放部材（２０）の噛合部（２１）と噛合されるので、釈放ブロック（４０）を固定座（３０）から釈放することができない。
【００１３】
又、図４及び図５に示すように、起動ロッド（１０）を下方へ回転することにより釈放部材（２０）を連動させる場合、釈放部材（２０）の噛合部（２１）と釈放ブロック（４０）の噛合部（４１）を互いに分離するので、釈放ブロック（４０）を固定座（３０）から釈放して落下させることができる。
【００１４】
図５乃至図９に示すように、本発明に係る釈放装置を逮捕装置に使用する場合を例として説明する。該逮捕装置は所定の場所で設けられることによりこの場所に通う人を拘束するものであり、即ち、該逮捕装置におけるフレームとロープで人を逮捕する。
【００１５】
前記逮捕装置の中空のフレーム体に上部に連結部材（５１）を有する継電器（５０）が設けられ、該連結部材（５１）に一端に軸（５３）を有する連動ロッド（５２）が設けられ、該軸（５３）の両端が本発明の起動ロッド（１０）と連結され、該起動ロッド（１０）の中段に前記フレーム体と連結される弾性部材（５４）（前記の付勢手段）が設けられ、該起動ロッド（１０）の一端に枢設孔（２２）を有する釈放部材（２０）が設けられると共に、該枢設孔（２２）にフレーム体における枢設ロッド（５５）が枢設される。
【００１６】
前記フレーム体の内側に上部が本発明の釈放ブロック（４０）における連結孔（４３）と連結する下フレーム（６０）が設けられ、又、フレーム体に本発明の固定座（３０）が設けられる。
【００１７】
又、前記噛合部（４１）（２１）が互いに噛合する場合、釈放ブロック（４０）と下フレーム（６０）をフレーム体の上部から落下しない。
【００１８】
継電器（５０）で連結部材（５１）を下方へ移動すると共に、連動ロッド（５２）と軸（５３）と起動ロッド（１０）を連動し、該釈放部材（２０）が上方へ回転することにより、図９及び図１０に示すように、釈放ブロック（４０）と噛合部材（２０）の噛合部（４１）（２１）を互いに分離させると共に、下フレーム（６０）と釈放ブロック（４０）をフレーム体の上部から落下させることができる。
【００１９】
又、図５及び図１０に示すように、本発明に係る釈放装置を外部釈放器として使用してもよい。該外釈放器の釈放ブロック（４０）の下部に下端に外錘体（７１）を有するロープ（７０）が設けられ、前記下フレーム（６０）の外側に落下した該外錘体（７１）を支持するための支持フレーム（６１）が設けられ、又、前記下フレーム（６０）の内側に該外錘体（７１）と連結する逮捕用のロープ（符号なし）が設けられる。
【００２０】
図１０に示すように、前記下フレーム（６０）の落下後、該支持フレーム（６１）も一緒に落下してもよい。起動ロッド（１０）が釈放部材（２０）を連動し、釈放ブロック（４０）と噛合部材（２０）の噛合部（４１）（２１）を互いに分離することにより、外錘体（７１）を落下すると共に、逮捕用のロープで犯人を拘束することができる。
【産業上の利用可能性】
【００２１】
本発明は上記の構造を有するので、釈放ブロックと噛合部材の噛合部の噛合状態を制御することにより、釈放ブロックに設けられる物体を簡単に釈放することができ、又、本発明は、部材数が少なく、構造が簡単であるという特徴を有するので、釈放装置の製造コストを低減させることができる。
【図面の簡単な説明】
【００２２】
【図１】本発明に係る釈放装置の斜視図である。
【図２】本発明に係る釈放装置の分解斜視図である。
【図３】本発明に係る釈放装置における釈放ブロックと噛合部材の噛合部の噛合状態を示す一部断面図である。
【図４】本発明に係る釈放装置における釈放ブロックと噛合部材の噛合部の分離状態を示す一部断面図である。
【図５】本発明に係る釈放装置の使用状態を示す斜視図である。
【図６】本発明に係る釈放装置の使用状態を示す一部分解斜視図である。
【図７】本発明に係る釈放装置の使用状態を示す一部斜視図である。
【図８】本発明に係る釈放装置の使用状態を示す一部側面図である。
【図９】本発明に係る釈放装置を起動した状態を示す一部側面図である。
【図１０】本発明に係る釈放装置を起動した状態を示す側面図である。
【符号の説明】
【００２３】
１０        起動ロッド
１１        取付部
２０        釈放部材
２１        噛合部
２２        枢設孔
３０        固定座
３１        取付孔
４０        釈放ブロック
４１        噛合部
４２        取付ブロック
４３        連結孔
５０        継電器
５１        連結部材
５２        連動ロッド
５３        軸
５４        弾性部材
５５        枢設ロッド
６０        下フレーム
６１        支持フレーム
７０        ロープ
７１        外錘体
【図１】
2006077824.tif 000003
【図２】
2006077824.tif 000004
【図３】
2006077824.tif 000005
【図４】
2006077824.tif 000006
【図５】
2006077824.tif 000007
【図６】
2006077824.tif 000008
【図７】
2006077824.tif 000009
【図８】
2006077824.tif 000010
【図９】
2006077824.tif 000011
【図１０】
2006077824.tif 000012